(57)【要約】      （修正有）【課題】表示された広告の広告関連情報を短時間で提供することが可能な情報提供装置を提供する。【解決手段】情報処理端末の撮像部は、広告印刷物１０に表示された広告を撮像し、撮像した広告の撮像画像を生成し、画像処理部は、生成された広告の撮像画像から広告の広告構成要素を抽出し、ネットワーク通信部は、抽出した広告構成要素をストレージへ送信し、ストレージは、ネットワーク通信部から受信した広告構成要素に基づいてアクセス情報データベースを検索し、受信した広告構成要素に対応する広告を特定し、特定した広告に対応するアクセス情報を読み出し、読み出したアクセス情報をネットワーク通信部へ送信し、ネットワーク通信部は、ストレージから受信したアクセス情報に基づいて、情報提供サイトへアクセスし、情報提供サイトから広告関連情報を受信し、端末表示部は、受信した広告関連情報を表示する。【選択図】図２
0003210604.tif 000002
【実用新案登録請求の範囲】
【請求項１】
広告が印刷された広告印刷物と、情報処理端末と、ストレージと、情報提供サイトと、を備え、
前記ストレージは、前記広告の図柄を構成する広告構成要素と、前記広告に関連する広告関連情報を提供する前記情報提供サイトの所在を示すアクセス情報と、を前記広告ごとに対応させたアクセス情報データベースを格納し、
前記情報処理端末は、撮像部と、画像処理部と、ネットワーク通信部と、端末表示部と、を備え、
前記撮像部は、前記広告印刷物に表示された前記広告を撮像し、撮像した前記広告の撮像画像を生成し、
前記画像処理部は、生成された前記広告の前記撮像画像から前記広告の前記広告構成要素を抽出し、
前記ネットワーク通信部は、ネットワークを介し、抽出した前記広告構成要素を前記ストレージへ送信し、
前記ストレージは、前記ネットワーク通信部から受信した前記広告構成要素に基づいて前記アクセス情報データベースを検索し、受信した前記広告構成要素に対応する前記広告を特定し、特定した前記広告に対応する前記アクセス情報を読み出し、読み出した前記アクセス情報を前記ネットワーク通信部へ送信し、
前記ネットワーク通信部は、前記ストレージから受信した前記アクセス情報に基づいて、前記ネットワークを介して前記情報提供サイトへアクセスし、前記情報提供サイトから前記広告関連情報を受信し、
前記端末表示部は、受信した前記広告関連情報を表示する、
情報提供装置。
【請求項２】
広告が印刷された広告印刷物と、情報処理端末と、ストレージと、情報提供サイトと、を備え、
前記広告印刷物には、前記広告を特定する広告特定情報が印刷され、
前記ストレージは、前記広告を特定する広告特定情報と、前記広告に関連する広告関連情報を提供する前記情報提供サイトの所在を示すアクセス情報と、を前記広告ごとに対応させたアクセス情報データベースを格納し、
前記情報処理端末は、撮像部と、画像処理部と、ネットワーク通信部と、端末表示部と、を備え、
前記撮像部は、前記広告印刷物に表示された前記広告を撮像し、撮像した前記広告の撮像画像を生成し、
前記画像処理部は、生成された前記広告の前記撮像画像から前記広告の前記広告特定情報を検出し、
前記ネットワーク通信部は、ネットワークを介し、検出した前記広告特定情報を前記ストレージへ送信し、
前記ストレージは、前記ネットワーク通信部から受信した前記広告特定情報に基づいて前記アクセス情報データベースを検索し、受信した前記広告特定情報に対応する前記広告を特定し、特定した前記広告に対応する前記アクセス情報を読み出し、読み出した前記アクセス情報を前記ネットワーク通信部へ送信し、
前記ネットワーク通信部は、前記ストレージから受信した前記アクセス情報に基づいて、前記ネットワークを介して前記情報提供サイトへアクセスし、前記情報提供サイトから前記広告関連情報を受信し、
前記端末表示部は、受信した前記広告関連情報を表示する、
情報提供装置。
【請求項３】
請求項２に記載の情報提供装置において、
前記広告特定情報は、紫外線の透過率を低減させる第１の材料を有するインクにより印刷され、
前記撮像部は、紫外線の透過率を増大させた第１のフィルタを介して前記広告を撮像し、撮像した前記広告の紫外線域における撮像画像を生成し、
前記画像処理部は、生成された前記広告の紫外線域における前記撮像画像から前記広告特定情報を検出する、
情報提供装置。
【請求項４】
請求項２に記載の情報提供装置において、
前記広告特定情報は、紫外線を吸収し蛍光を発する第２の材料を有するインクにより印刷され、
前記撮像部は、蛍光の透過率を増大させた第２のフィルタを介して前記広告を撮像し、撮像した前記広告の蛍光域における撮像画像を生成し、
前記画像処理部は、生成された前記広告の蛍光域における前記撮像画像から前記広告特定情報を検出する、
情報提供装置。
【請求項５】
請求項２に記載の情報提供装置において、
肉眼で認識できない前記広告特定情報が前記広告に埋め込まれており、
前記画像処理部は、前記撮像画像から前記広告に埋め込まれた前記広告特定情報を検出する、
情報提供装置。
【請求項６】
請求項５に記載の情報提供装置において、
前記広告には、前記広告特定情報を構成する複数の部分広告特定情報が互いに離れて埋め込まれており、
前記画像処理部は、前記撮像画像から複数の前記部分広告特定情報を抽出し、抽出した複数の前記部分広告特定情報に基づいて前記広告特定情報を検出する、
情報提供装置。
【請求項７】
請求項１又は２に記載の情報提供装置において、
前記ネットワーク通信部が前記ストレージから前記アクセス情報を受信すると、
前記端末表示部は、前記アクセス情報を受信したことを示すアクセス情報受信通知を表示する、
情報提供装置。
【請求項８】
請求項７に記載の情報提供装置において、
前記端末表示部は、前記ストレージから受信した前記アクセス情報を前記アクセス情報受信通知として表示する、
情報提供装置。
【請求項９】
請求項８に記載の情報提供装置において、
前記端末表示部は、２次元コードで構成された前記アクセス情報を前記アクセス情報受信通知として表示する、
情報提供装置。
【請求項１０】
請求項２に記載の情報提供装置において、
前記広告特定情報が前記アクセス情報で構成されており、
前記画像処理部は、前記撮像部で生成された前記撮像画像に基づいて前記アクセス情報を検出し、
前記ネットワーク通信部は、前記画像処理部で検出された前記アクセス情報に基づいて、前記ネットワークを介して前記情報提供サイトへアクセスし、前記情報提供サイトから前記広告関連情報を受信する、
情報提供装置。
【請求項１１】
請求項１又は２に記載の情報提供装置において、
前記情報提供サイトがネットワークと接続され、
前記アクセス情報は、前記情報提供サイトの前記ネットワークにおけるアドレス情報で構成されている、
情報提供装置。
【請求項１２】
請求項１又は２に記載の情報提供装置において、
前記広告印刷物が、基板と、前記基板の主面に設けられ、前記広告が形成された広告形成層と、で構成され、
前記基板が可撓性を有する材料で構成されている、
情報提供装置。
【請求項１３】
請求項１又は２に記載の情報提供装置において、
前記撮像部は、前記広告を複数回撮像する、
情報提供装置。
【考案の詳細な説明】
【技術分野】
【０００１】
本考案は、情報提供装置に関する。
【背景技術】
【０００２】
近年、街頭に設置されたディスプレイや、個人の情報処理端末等に広告を表示する、デジタルサイネージ（電子看板）と呼ばれる広告媒体が普及しつつある。
【０００３】
例えば、特許文献１には、表示装置に表示するコンテンツ情報の切換表示の操作を、簡易な構成により実現した表示装置が開示されている。
【０００４】
具体的には、表示装置は、筐体の前面側において液晶表示体とＬＥＤ表示体を備えてなる。表示装置は、店頭や店舗内に設置される状態で使用され、液晶表示体やＬＥＤ表示体において商品情報、役務情報を表出可能としている。表示装置の正面から観た右側下方位置には、赤外線受光素子と磁気センサが上下並んで配設される。赤外線受光素子は、操作者が保持する赤外線リモコン装置から発信される信号を受信可能とし、また磁気センサは操作者が保持する磁性体の近接・離隔により液晶表示体やＬＥＤ表示体に表示する商品情報、役務情報の切換表示を可能にしている。
【０００５】
また、特許文献２には、広告のために電子機器がスタンドアロンで使用される場合にも限られたリソースの範囲で個人属性を考慮して広告効果を高めることができるようにする電子機器等が開示されている。
【０００６】
具体的には、電子機器は、複数のコンテンツデータを格納する記憶部と、携帯端末との間で近距離無線受信を行う複数の通信チャネルを備えた近距離無線通信部と、前記近距離無線通信部で携帯端末から受信した個人属性情報を所定のルールに従って処理した結果に基づいて前記記憶部からコンテンツデータを選択する制御部と、前記制御部で選択されたコンテンツデータを表示する表示部と、を有する。
【先行技術文献】
【特許文献】
【０００７】
【特許文献１】特開２０１６−２２４３５４号公報
【特許文献２】特開２０１６−１５６８８７号公報
【考案の概要】
【考案が解決しようとする課題】
【０００８】
通行人やユーザ等の視聴者は、ディスプレイや情報処理端末等に表示された広告を視聴することができる。広告の内容に興味を持てば、視聴者は、インターネット検索等により、広告に関連する広告関連情報を取得することができる。しかし、これでは、広告関連情報を取得するまでに、ある程度の手間や時間が掛かってしまう。
【０００９】
そこで、本考案は、表示された広告の広告関連情報を短時間で提供することが可能な情報提供装置を提供することを目的とする。
【課題を解決するための手段】
【００１０】
本願において開示される考案のうち、代表的なものの概要を簡単に説明すれば、以下のとおりである。
【００１１】
すなわち、本考案の代表的な実施の形態による情報提供装置は、広告が印刷された広告印刷物と、情報処理端末と、ストレージと、情報提供サイトと、を備え、ストレージは、広告の図柄を構成する広告構成要素と、広告に関連する広告関連情報を提供する情報提供サイトの所在を示すアクセス情報と、を広告ごとに対応させたアクセス情報データベースを格納し、情報処理端末は、撮像部と、画像処理部と、ネットワーク通信部と、端末表示部と、を備え、撮像部は、広告印刷部に印刷された広告を撮像し、撮像した広告の撮像画像を生成し、画像処理部は、生成された広告の撮像画像から広告の広告構成要素を抽出し、ネットワーク通信部は、ネットワークを介してストレージへアクセスし、抽出した広告構成要素に基づいてアクセス情報データベースを検索し、抽出した広告構成要素に対応する広告を特定し、特定した広告に対応するアクセス情報を読み出し、読み出したアクセス情報に基づいて、ネットワークを介して情報提供サイトへアクセスし、情報提供サイトから広告関連情報を受信し、端末表示部は、受信した広告関連情報を表示する。
【考案の効果】
【００１２】
本願において開示される考案のうち、代表的なものによって得られる効果を簡単に説明すれば以下のとおりである。
【００１３】
すなわち、本考案の代表的な実施の形態によれば、表示された広告の広告関連情報を短時間で提供することが可能な情報提供装置を提供することが可能となる。
【図面の簡単な説明】
【００１４】
【図１】本考案の実施の形態１に係る情報提供装置の構成の一例を示す図である。
【図２】本考案の実施の形態１に係る広告印刷物の構成の一例を示す図である。
【図３】本考案の実施の形態１に係る情報処理端末の構成の一例を示す図である。
【図４】本考案の実施の形態２に係る広告印刷物の構成の一例を示す図である。
【図５】本考案の実施の形態２に係る広告印刷物の構成の他の一例を示す平面図である。
【図６】本考案の実施の形態４に係る広告印刷物の構成の一例を示す平面図である。
【考案を実施するための形態】
【００１５】
以下、本考案の実施の形態を図面に基づいて詳細に説明する。なお、実施の形態を説明するための全ての図において、同一部には原則として同一の符号を付し、その繰り返しの説明は省略する。
【００１６】
（実施の形態１）
＜情報提供装置の構成＞
図１は、本考案の実施の形態１に係る情報提供装置の構成の一例を示す図である。情報提供装置１は、図１に示すように、広告印刷物１０、情報処理端末２０、情報提供サイト３０、ネットワーク４０、ストレージ５０等を備えている。
【００１７】
本考案の情報提供装置１は、例えば、いわゆるデジタルサイネージと呼ばれる電子広告等に用いられる。情報提供装置１において、広告印刷物１０には、広告が表示されている。また、情報処理端末２０は、例えば、広告印刷物１０に表示された広告の図柄を構成する広告構成要素を検出し、検出した広告構成要素に基づいて、表示された広告に対応するアクセス情報をストレージ５０から読み出し、読み出したアクセス情報に基づいて、ネットワーク４０を介して情報提供サイト３０へアクセスする。そして、情報処理端末２０は、情報提供サイト３０から広告印刷物１０に表示されている広告に関連する広告関連情報を受信して表示する。
【００１８】
［広告印刷物の構成］
図２は、本考案の実施の形態１に係る広告印刷物の構成の一例を示す図である。図２（ａ）は広告印刷物１０の平面図を示し、図２（ｂ）は広告印刷物１０の断面図を示している。なお、図２（ａ）では、例えば、モデルの人物が飲料が入ったグラスを片手に持っている状況が広告として示されている。
【００１９】
広告印刷物１０は、例えば図２（ａ）に示すように、平面視で矩形状に形成されてもよいし、これ以外にも、例えば円形や楕円形等、広告印刷物１０の設置箇所の状況に応じた任意の形状であってもよい。
【００２０】
広告印刷物１０は、図２（ｂ）に示すように、基板１１と、基板１１の主面１１ａに設けられ、広告が形成された広告形成層１２と、で構成されている。基板１１は、例えばシート状に形成され、広告形成層１２を支持する支持体として機能する。基板１１は、例えば可撓性を有する樹脂等の材料で構成されている。
【００２１】
広告形成層１２は、例えば、インクジェット式のプリンタにより印刷された広告で構成されてもよいし、基板１１の主面１１ａに手書きされた広告で構成されてもよい。これらの場合、広告形成層１２は、基板１１と一体で形成されることとなる。
【００２２】
なお、広告形成層１２は、基板１１とは別個のフィルムに広告が印刷されたものであってもよい。この場合には、基板１１と広告形成層１２とが別体で構成され、広告印刷物１０は、広告形成層１２を構成するフィルムと基板１１とが貼り合された構成となる。このような構成とすれば、フィルムを交換するだけで異なる広告を表示する広告印刷物が容易に構成される。
【００２３】
広告形成層１２に形成（印刷）された広告は、さまざまな広告構成要素が組み合わされて構成されている。図２（ａ）では、例えば、グラスを持つ人物が表示されている。この人物について、例えば、顔の位置や大きさ、目、鼻、口、及び耳等の位置や大きさ、髪型、グラスを持つ手や指の数、位置や大きさ等は広告構成要素である。また、グラスの位置、大きさ、及び角度、グラスに注がれた飲料の残量やグラス等も広告構成要素である。また、これら以外にも、例えば、図示しない文字や図形、これらの位置や大きさ等も広告構成要素である。これらの広告構成要素は、表示されている広告を特定するものであり、例えば、後述するストレージ５０に格納されている。
【００２４】
［ストレージの構成］
ストレージ５０は、図１に示すように、ネットワーク４０と接続されており、ネットワーク４０を介して情報処理端末２０等との間で情報の送受信を行う。ストレージ５０は、情報提供装置１に関する各種情報を格納する。ストレージ５０は、例えば、広告の図柄を構成する広告構成要素と、広告に関連する広告関連情報を提供する情報提供サイト３０の所在を示すアクセス情報と、を対応させたアクセス情報データベースを格納する。また、ストレージ５０は、例えば、複数の広告に関する広告構成要素及びアクセス情報を格納してもよい。この場合、ストレージ５０は、広告構成要素とアクセス情報とを、広告ごとに対応させたアクセス情報データベースを格納する。
【００２５】
ストレージ５０は、後述する情報処理端末２０のネットワーク通信部２３から受信した広告構成要素に基づいてアクセス情報データベースを検索し、受信した広告構成要素に対応する広告を特定する。ストレージ５０は、例えば、受信した広告構成要素と、アクセス情報データベースに格納された広告構成要素と、を比較する。例えば、ストレージ５０は、広告ごとに、受信した広告構成要素と、格納された広告構成要素と、を比較する。
【００２６】
そして、これらの広告構成要素が全て一致した場合、ストレージ５０は、直前に広告構成要素の比較対象となった広告が、広告印刷物１０に表示された広告であると判定する。これに対して、受信した広告構成要素が格納された広告構成要素と完全には一致していない場合、ストレージ５０は、例えば、すべての広告に対する比較結果のうち、一致した広告構成要素の個数が最も多い広告が、広告印刷物１０に表示された広告であると判定する。また、ストレージ５０は、これ以外にも、例えば、広告の主要な広告構成要素を設定し、受信した広告特定要素と主要な広告構成要素とが完全に一致する広告が、広告印刷物１０に表示された広告であると判定してもよい。このようにして、ストレージ５０は、受信した広告構成要素に対応する広告を特定する。
【００２７】
そして、ストレージ５０は、特定した広告に対応するアクセス情報を読み出し、読み出したアクセス情報を情報処理端末２０のネットワーク通信部２３へ送信する。
【００２８】
図１では、ストレージ５０がネットワーク４０と接続されている場合が示されている。この場合、例えば、ストレージ５０が広告印刷物１０の近辺に設置されていなくてもよい。これにより、広告印刷物１０及びストレージ５０の設置の自由度が向上する。
【００２９】
なお、ストレージ５０は、ネットワーク４０を介さず、情報処理端末２０と直接接続されていても構わない。この場合、ストレージ５０は、広告印刷物１０の近辺に設置されることとなる。この場合、情報処理端末２０及びストレージ５０は、例えば近距離無線通信等で接続される。近距離無線通信には、例えば、Ｗｉ−Ｆｉ（登録商標）、Ｚｉｇｂｅｅ（登録商標）、Ｂｌｕｅｔｏｏｔｈ（登録商標）、ＵＷＢ（Ｕｌｔｒａ  Ｗｉｄｅ  Ｂａｎｄ）、ミリ波通信、ＮＦＣ（Ｎｅａｒ  ｆｉｅｌｄ  ｒａｄｉｏ  ｃｏｍｍｕｎｉｃａｔｉｏｎ）、ＷｉＳＵＭ等が用いられる。また、これら以外にも、近距離無線通信には、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、登録商標）等のＷＡＮ（Ｗｉｄｅ  Ａｒｅａ  Ｎｅｔｗｏｒｋ）、ＭＡＮ（Ｍｅｔｒｏｐｏｌｉｔａｎ  Ａｒｅａ  Ｎｅｔｗｏｒｋ）が用いられる。
【００３０】
［情報処理端末の構成］
図３は、本考案の実施の形態１に係る情報処理端末の構成の一例を示す図である。情報処理端末２０には、例えば、撮像機能、ネットワーク通信機能等を備えた各種機器が用いられる。具体的には、情報処理端末２０として、例えば、スマートフォン、パソコン、タブレット端末、ゲーム機等が用いられる。
【００３１】
情報処理端末２０は、図３に示すように、撮像部２１、画像処理部２２、ネットワーク通信部２３、端末制御部２４、端末表示部２５、データ格納部２６等を備えている。
【００３２】
撮像部２１は、広告印刷物１０に表示された広告を撮像し、広告の撮像画像を生成する。なお、撮像画像には、広告以外にも、広告印刷物１０の背景の景色等が写り込んでいても構わない。
【００３３】
また、撮像部２１は、広告印刷物１０に表示された広告を複数回撮像してもよい。このため、撮像部２１は、例えば連続撮像モードを備えていてもよい。連続撮像モードでは、情報処理端末２０のユーザがシャッタースイッチ（図示せず）を操作すると、撮像部２１は、広告印刷物１０に表示された広告を連続して撮像する。そして、撮像部２１は、広告が写った撮像画像を順次生成する。これにより、手振れ等の要因により広告を鮮明に撮像することができない場合が発生しても、撮像部２１は、適切に広告を撮像することが可能となる。
【００３４】
なお、撮像部２１は、動画撮像モードを用いて広告を複数回撮像してもよい。動画データは、フレームごとに撮像された複数の撮像画像を順次つなぎ合わせて生成されるため、必要に応じて広告の撮像画像を動画データから取り出すことが可能である。撮像部２１は、生成した撮像画像を、例えば画像処理部２２へ出力する。なお、撮像部２１は、生成した撮像画像を、後述するデータ格納部２６に格納してもよい。
【００３５】
なお、撮像部２１は、これらの処理を広告関連情報取得アプリケーションにより実行してもよい。
【００３６】
画像処理部２２は、撮像部２１から出力された撮像画像に基づいて広告構成要素を抽出する。画像処理部２２は、撮像画像から、例えば、広告に表示された人物、グラス等の特徴を広告構成要素として抽出する。広告構成要素の抽出に係るこれら一連の処理は、例えば、広告関連情報取得アプリケーションにより実行されてもよい。
【００３７】
なお、撮像画像が不鮮明である等の理由により、画像処理部２２が、広告印刷物１０に表示された広告を特定するために必要な広告構成要素を抽出できなかった場合には、撮像部２１による広告の撮像と、画像処理部２２による広告構成要素の抽出を再度行ってもよい。
【００３８】
ネットワーク通信部２３は、ネットワーク４０を介し、抽出した広告構成要素をストレージ５０へ送信する。また、ネットワーク通信部２３は、抽出した広告構成要素に対応するアクセス情報をストレージ５０から受信する。ここでネットワーク通信部２３が受信するアクセス情報は、広告印刷物１０に表示された広告に対応するものである。また、ネットワーク通信部２３は、ストレージ５０から受信したアクセス情報に基づいて、図１に示す情報提供サイト３０へアクセスする。ネットワーク通信部２３は、ネットワーク４０を介して、例えば、画像処理部２２で生成されたアクセス用データに含まれるＵＲＬ（Ｕｎｉｆｏｒｍ  Ｒｅｓｏｕｒｃｅ  Ｌｏｃａｔｏｒ）等のアドレス情報に基づいて情報提供サイト３０へアクセスする。そして、ネットワーク通信部２３は、ネットワーク４０を介して、アクセス先の情報提供サイト３０から、広告印刷物１０に表示された広告に関連する広告関連情報を受信する。
【００３９】
例えば、ネットワーク通信部２３は、広告関連情報としてブラウザでウェブページを表示するためのウェブページデータ等を情報提供サイト３０から受信する。ネットワーク通信部２３は、受信したウェブページデータ等の広告関連情報を、例えば、端末制御部２４へ出力する。
【００４０】
なお、ネットワーク通信部２３における広告関連情報の受信に関連する一連の処理は、例えば、広告関連情報取得アプリケーションにより実行されてもよい。
【００４１】
端末制御部２４は、例えば、ネットワーク通信部２３から出力された広告関連情報を、端末表示部２５に表示させるための処理を行う。広告関連情報としてのウェブページデータがネットワーク通信部２３から出力されると、端末制御部２４はブラウザを起動し、ウェブページデータに基づいたウェブページを端末表示部２５に表示させる。
【００４２】
また、端末制御部２４は、情報処理端末２０を構成する各部の制御を行う。端末制御部２４は、例えば、情報処理端末２０の各種設定を行う設定変更画面を端末表示部２５に表示させ、ユーザからの設定変更の入力を受け付ける。端末制御部２４は、ユーザからの設定変更を受け付けると、例えば、撮像部２１の撮像モードを通常モード（シャッターボタンが１回操作されるごとに１回撮像するモード）、連続撮像モード、動画撮像モードのいずれかのモードに設定する。
【００４３】
また、端末制御部２４は、例えば、情報提供サイト３０の閲覧履歴をデータ格納部２６に格納する。その際、データ格納部２６は、例えば、ＵＲＬやウェブページデータ等を、対応する閲覧履歴情報として格納する。また、閲覧履歴を介した情報提供サイト３０への閲覧要求が行われた場合、端末制御部２４は、閲覧要求に対応する閲覧履歴情報に基づいたウェブページ等を端末表示部２５に表示させる。
【００４４】
端末表示部２５は、ネットワーク通信部２３が情報提供サイト３０から受信した広告関連情報を表示する。端末表示部２５は、前述したように、例えば、広告印刷物１０に表示された広告に関連するウェブページ等を広告関連情報として表示する。
【００４５】
ネットワーク通信部２３がストレージ５０からアクセス情報を受信すると、端末表示部２５は、アクセス情報を受信したことを示すアクセス情報受信通知を表示する。端末表示部２５は、例えば、ストレージ５０からアクセス情報を受信した旨が記載された静止画像や動画像をアクセス情報受信通知として表示する。また、端末表示部２５は、例えば、１次元コードやＱＲコード（登録商標）に代表される２次元コード等で構成されたアクセス情報をアクセス情報受信通知として表示する。これら１次元コードや２次元コードは、受信したアクセス情報に基づいて、例えば端末制御部２４で生成される。このような、アクセス情報受信通知を表示することにより、広告関連情報取得に関する処理の進捗状況をユーザに通知することが可能となる。
【００４６】
また、端末表示部２５は、例えば、設定変更画面や広告関連情報とは関連しないその他の撮像画像や動画像等を表示する。端末表示部２５として、例えば、液晶表示装置、有機ＥＬ表示装置、ＬＥＤ表示装置、電気泳動表示装置等が用いられる。なお、端末表示部２５への広告関連情報の表示に関する処理は、広告関連情報取得アプリケーションにより行われてもよい。
【００４７】
すなわち、情報処理端末２０では、撮像部２１による広告の撮像から、端末表示部２５への広告関連情報の表示までの一連の処理が、広告関連情報取得アプリケーションにより行われてもよい。
【００４８】
広告関連情報取得アプリケーションは、例えば、端末制御部２４で実行される。端末制御部２４は、広告関連情報取得アプリケーションを、例えば、後述するデータ格納部２６から読み出して起動する。
【００４９】
起動した広告関連情報取得アプリケーションは、まず、撮像部２１を起動させる。ユーザにより広告印刷物１０に表示された広告の撮像が行われると、広告関連情報取得アプリケーションは、広告の撮像画像を画像処理部２２へ送信する。そして、広告関連情報取得アプリケーションは、画像処理部２２に、画像処理を実行させ、撮像画像から広告構成要素を抽出させる。広告関連情報取得アプリケーションは、例えば、ネットワーク通信部２３に対し、抽出した広告構成要素をストレージ５０へ送信させる。
【００５０】
また、広告関連情報取得アプリケーションは、ネットワーク通信部２３に対し、ストレージ５０から受信したアクセス情報に基づいて情報提供サイト３０へアクセスさせて広告関連情報を読み出させ、読み出させた広告関連情報を端末表示部２５へ表示させる。
【００５１】
なお、情報処理端末２０は、例えば、近距離無線通信によりストレージ５０と接続され、近距離無線通信により、広告構成要素やアクセス情報等の各種データの送受信を行ってもよい。例えば、情報処理端末２０は、図示しない近距離無線通信部により、ストレージ５０との間で近距離無線通信を行うことが可能である。
【００５２】
なお、図示しない近距離無線通信部は、例えば、ネットワーク通信部２３と一体で構成されてもよい。この場合、ネットワーク通信部２３は、ネットワーク４０を介してデータの送受信を行うネットワーク通信機能と、近距離無線通信によりデータの送受信を行う近距離無線通信機能とを併せ持つこととなる。
【００５３】
データ格納部２６は、広告関連情報取得アプリケーションを格納する。また、データ格納部２６は、撮像部２１で生成された撮像画像や動画像等を格納する。また、データ格納部２６は、情報提供サイト３０の閲覧履歴を格納する。データ格納部２６は、例えば、ＵＲＬやウェブページデータ等を、それぞれの閲覧履歴に対応する閲覧履歴情報として格納する。
【００５４】
［その他の構成要素について］
図１に示す情報提供サイト３０は、広告印刷物１０に表示された広告に関連する広告関連情報を提供する。情報提供サイト３０は、例えばインターネット等のネットワーク４０と接続されており、情報提供サイト３０には、ネットワーク４０上で有効なＵＲＬ等のアドレス情報が割り当てられている。情報処理端末２０からアクセスされた情報提供サイト３０は、ネットワーク４０を介して、広告関連情報を情報処理端末２０へ送信する。
【００５５】
ネットワーク４０は、前述したように、例えばインターネットであってもよいし、ＬＡＮ（Ｌｏｃａｌ  Ａｒｅａ  Ｎｅｔｗｏｒｋ）であってもよい。ネットワーク４０がインターネットで構成されていれば、情報提供サイト３０には、例えば、ＵＲＬやＩＰアドレス等がアドレス情報として割り当てられる。また、ネットワーク４０がＬＡＮで構成されていれば、情報提供サイト３０には、例えばＩＰアドレス等がアドレス情報として割り当てられる。
【００５６】
＜本実施の形態による効果＞
本実施の形態によれば、情報処理端末２０の画像処理部２２は、撮像部２１で生成された広告の撮像画像から広告の広告構成要素を抽出する。そして、ネットワーク通信部２３は、ネットワーク４０を介し、画像処理部２２で抽出された広告構成要素をストレージ５０へ送信する。そして、ストレージ５０は、ネットワーク通信部２３から受信した広告構成要素に基づいてアクセス情報データベースを検索し、受信した広告構成要素に対応する広告を特定する。そして、ストレージ５０は、特定した広告に対応するアクセス情報を読み出し、読み出したアクセス情報をネットワーク通信部２３へ送信する。そして、ネットワーク通信部２３は、ストレージ５０から受信したアクセス情報に基づいて、ネットワーク４０を介して情報提供サイト３０へアクセスし、情報提供サイト３０から広告関連情報を受信する。そして、端末表示部２５は、受信した広告関連情報を表示する。
【００５７】
この構成によれば、広告印刷物１０に表示された広告を撮像することにより、広告関連情報を提供する情報提供サイト３０へアクセスすることができる。これにより、情報提供サイト３０へのアクセスが容易となるので、表示された広告の広告関連情報を短時間で提供することが可能となる。
【００５８】
また、広告の図柄等が広告構成要素として利用されるので、広告関連情報を提供するための加工を広告印刷物１０へ行わなくてもよい。
【００５９】
また、本実施の形態によれば、ネットワーク通信部２３がストレージ５０からアクセス情報を受信すると、端末表示部２５は、アクセス情報を受信したことを示すアクセス情報受信通知を表示する。この構成によれば、アクセス情報を受信したことがユーザに通知されるので、ユーザは、広告関連情報の取得に関する処理の進捗状況を認識することが可能となる。
【００６０】
また、本実施の形態によれば、端末表示部２５は、ストレージ５０から受信したアクセス情報をアクセス情報受信通知として表示する。この構成によれば、受信したアクセス情報が具体的に表示されるので、ユーザは、情報提供サイト３０の所在を認識することが可能となる。
【００６１】
また、本実施の形態によれば、端末表示部２５は、１次元コードや２次元コードで構成されたアクセス情報をアクセス情報受信通知として表示する。この構成によれば、広告関連情報の取得に関する処理の進捗状況をユーザが認識することができるだけでなく、他のユーザが端末表示部２５に表示されたアクセス情報に基づいて情報提供サイト３０へアクセスすることにより、他のユーザは、広告の撮像を行わなくても広告関連情報を取得することが可能となる。
【００６２】
また、本実施の形態によれば、情報提供サイト３０がネットワーク４０と接続され、アクセス情報は、情報提供サイト３０のネットワーク４０におけるアドレス情報で構成されている。この構成によれば、この構成によれば、ユーザは、ネットワーク４０を介して情報提供サイト３０へ容易にアクセスすることができるので、より短時間で広告関連情報を取得することが可能となる。
【００６３】
また、本実施の形態によれば、広告印刷物１０の基板１１が可撓性を有する材料で構成されている。この構成によれば、広告印刷物１０を変形させることができるので、設置箇所の状況に応じて自在に広告印刷物１０を設置することが可能となる。
【００６４】
また、本実施の形態によれば、撮像部２１は、広告印刷物１０に表示された広告を複数回撮像する。この構成によれば、広告の撮像画像が複数生成されるので、鮮明な撮像画像が生成される確率が向上する。これにより、広告構成要素の検出精度がより向上し、より短時間で広告関連情報を取得することが可能となる。
【００６５】
（実施の形態２）
次に、本考案の実施の形態２について説明する。本実施の形態では、広告印刷物１０に、広告を特定する広告特定情報が設けられた場合について説明する。なお、以下では、前述の実施の形態と重複する箇所については、原則としてその説明を省略する。
【００６６】
図４は、本考案の実施の形態２に係る広告印刷物の構成の一例を示す図である。図４（ａ）は広告印刷物１０の平面図を示し、図４（ｂ）は広告印刷物１０の断面図を示している。なお、図４（ａ）においても、例えば、モデルの人物が飲料が入ったグラスを片手に持っている状況が広告として示されている。
【００６７】
広告特定情報は任意に選択することが可能である。広告特定情報は、例えば、文字、番号、記号、図形、及びこれらの組み合わせ等で構成することが可能である。図４（ａ）では、広告の番号が広告特定情報として示されている。これらの広告特定情報は、広告印刷物１０に表示された広告を特定するものであり、例えば、ストレージ５０に格納されている。
【００６８】
［広告印刷物の構成］
広告印刷物１０は、図４（ｂ）に示すように、基板１１と、広告が形成された広告形成層１２と、広告形成層１２に積層され、広告を特定する広告特定情報が形成された広告特定情報形成層１３と、で構成されている。
【００６９】
広告特定情報形成層１３は、例えば、広告形成層１２上にインクジェット式のプリンタにより印刷されてもよいし、広告形成層１２に手書きされたものであってもよい。これらの場合、広告特定情報（すなわち広告特定情報形成層１３）は、基板１１及び広告形成層１２と一体で形成されることとなる。なお、広告形成層１２は、基板１１の主面１１ａの一部の領域のみに形成されてもよい。この場合、広告特定情報形成層１３は、基板１１の主面１１ａのみに形成されてもよいし、基板１１の主面１１ａ及び広告形成層１２にわたって形成されてもよい。
【００７０】
広告特定情報の印刷等には、例えば、紫外線の透過率を低減させる材料（第１の材料）を有するインク（以下では「ＵＶインク」とも称する）が使用される。また、ＵＶインクは、透明な材料で構成されていることが好ましい。一方、広告特定情報が印刷された領域（以下では「広告特定情報印刷領域」とも称する）では、ＵＶインクにより紫外線の透過が抑えられるため、広告特定情報印刷領域では、それ以外の領域との間で紫外線域における明るさ（明度）に差が生じる。
【００７１】
なお、広告特定情報は透明なインクで形成されていることが好ましい。この場合、可視光域における広告特定情報印刷領域とそれ以外の領域との明るさ（明度）の差は、肉眼ではほとんど認識することができない。したがって、ＵＶインクにより広告特定情報が形成されても、広告の視認性は保持される。このため、また、広告特定情報は、図４（ａ）に示すように、基板１１の主面の一部の領域のみに形成されてもよいし、例えば、主面のほぼ全域にわたって形成されてもよい。なお、図４（ａ）に示す広告特定情報「００１」は、肉眼では認識できないものである。
【００７２】
なお、広告特定情報形成層１３は、基板１１及び広告形成層１２とは別個のフィルムに広告特定情報が印刷されて構成されてもよい。この場合、広告特定情報形成層１３は、基板１１や広告形成層１２と別体で構成され、広告印刷物１０は、広告特定情報形成層１３を構成するフィルムと広告形成層１２や基板１１とが貼り合された構成となる。このような構成とすれば、フィルムを交換するだけで広告特定情報を交換することが可能となる。
【００７３】
［ストレージの構成］
ストレージ５０は、例えば、広告を特定する広告特定情報と、広告に関連する広告関連情報を提供する情報提供サイト３０の所在を示すアクセス情報と、を対応させたアクセス情報データベースを格納する。また、ストレージ５０は、例えば、複数の広告に関する広告特定情報及びアクセス情報を格納してもよい。この場合、ストレージ５０は、広告特定情報とアクセス情報とを、広告ごとに対応させたアクセス情報データベースを格納する。
【００７４】
ストレージ５０は、情報処理端末２０のネットワーク通信部２３から受信した広告特定情報に基づいてアクセス情報データベースを検索し、受信した広告特定情報に対応する広告を特定する。ストレージ５０は、例えば、受信した広告特定情報と、アクセス情報データベースに格納された広告特定情報と、を比較する。例えば、ストレージ５０は、広告ごとに、受信した広告特定情報と、格納された広告特定情報と、を比較する。そして、これらの広告特定情報が一致した場合、ストレージ５０は、直前に広告特定情報の比較対象となった広告が、広告印刷物１０に表示された広告であると判定する。このようにして、ストレージ５０は、受信した広告特定情報に対応する広告を特定する。
【００７５】
そして、ストレージ５０は、特定した広告に対応するアクセス情報を読み出し、読み出したアクセス情報を情報処理端末２０のネットワーク通信部２３へ送信する。
【００７６】
［情報処理端末の構成］
撮像部２１は、広告印刷物１０に表示された広告を撮像し、広告の撮像画像を生成する。その際、撮像部２１は、例えば、紫外線の透過率を増大させ、それ以外の波長域の透過率を低減させたフィルタ（第１のフィルタ）を介して広告を撮像し、広告の紫外線域における撮像画像を生成する。
【００７７】
画像処理部２２は、撮像部２１から出力された撮像画像に基づいて広告特定情報を検出する。画像処理部２２は、例えば、撮像部２１で生成された広告の紫外線域における撮像画像から広告特定情報を検出する。画像処理部２２は、撮像画像から、例えば、文字、番号、記号、図形、及びこれらの組み合わせ等を広告特定情報として検出する。広告構成要素の抽出に係るこれら一連の処理は、例えば、広告関連情報取得アプリケーションにより実行されてもよい。
【００７８】
なお、本実施の形態においても、画像処理部２２が、広告印刷物１０に表示された広告を特定するために必要な広告特定情報を検出できなかった場合には、撮像部２１による広告の撮像と、画像処理部２２による広告特定情報の検出が再度行われてもよい。
【００７９】
ネットワーク通信部２３は、ネットワーク４０を介し、検出した広告特定情報をストレージ５０へ送信する。また、ネットワーク通信部２３は、検出した広告特定情報に対応するアクセス情報をストレージ５０から受信する。また、ネットワーク通信部２３は、ストレージ５０から受信したアクセス情報に基づいて、図１に示す情報提供サイト３０へアクセスし、アクセス先の情報提供サイト３０から、広告印刷物１０に表示された広告に関連する広告関連情報を受信する。
【００８０】
なお、ネットワーク通信部２３における広告関連情報の受信に関連する一連の処理は、例えば、広告関連情報取得アプリケーションにより実行されてもよい。
【００８１】
端末表示部２５は、ネットワーク通信部２３が情報提供サイト３０から受信した広告関連情報を表示する。端末表示部２５は、前述したように、例えば、広告印刷物１０に表示された広告に関連するウェブページ等を広告関連情報として表示する。また、本実施の形態においても、ネットワーク通信部２３がストレージ５０からアクセス情報を受信すると、端末表示部２５は、アクセス情報を受信したことを示すアクセス情報受信通知を表示する。これにより、広告関連情報取得に関する処理の進捗状況がユーザに通知される。
【００８２】
また、本実施の形態においても、情報処理端末２０では、撮像部２１による広告の撮像から、端末表示部２５への広告関連情報の表示までの一連の処理が、広告関連情報取得アプリケーションにより行われてもよい。
【００８３】
［広告特定情報がアクセス情報で構成された場合］
ここで、本実施の形態に係る変形例として、広告特定情報がアクセス情報で構成された場合について説明する。図５は、本考案の実施の形態２に係る広告印刷物の構成の他の一例を示す平面図である。図５では、広告印刷物１０に表示された広告に対応するアクセス情報（例えば２次元コード等）が広告特定情報として示されている。
【００８４】
画像処理部２２は、撮像部２１で生成された撮像画像に基づいてアクセス情報を検出する。例えば、画像処理部２２は、アクセス情報が印刷されたアクセス情報印刷領域とその他の領域との組み合わせに基づいて、２次元コードを構成する各ビットのデータを読み出し、２次元コードのビット配列を生成する。そして、画像処理部２２は、生成した２次元コードのビット配列をデコードすることにより、情報提供サイト３０へのアクセス用データを生成する。
【００８５】
画像処理部２２は、例えば、検出したアクセス情報（例えば２次元コード）のビット配列に対応するアクセス用データを、例えば、データ格納部２６やストレージ５０から読み出してもよいし、２次元コードのビット配列を所定のプログラムにより変換することによりアクセス用データを生成してもよい。ここで、生成されたアクセス用データは、例えば、アクセス情報としてのＵＲＬ等のアドレス情報で構成されている。なお、アクセス用データは、例えば、端末制御部２４において生成されてもよい。
【００８６】
ネットワーク通信部２３は、画像処理部２２で検出されたアクセス情報に基づいて、ネットワーク４０を介して情報提供サイト３０へアクセスする。例えば、ネットワーク通信部２３は、画像処理部２２や端末制御部２４で生成されたアクセス用データに基づいて情報提供サイト３０へアクセスする。
【００８７】
また、本変形例では、端末表示部２５がアクセス情報受信通知を表示する際、例えば、画像処理部２２により検出されたアクセス情報が表示される。
【００８８】
＜本実施の形態による効果＞
本実施の形態によれば、前述の実施の形態による効果に加え以下の効果が得られる。本実施の形態によれば、画像処理部２２は、撮像部２１により生成された広告の撮像画像から広告印刷物１０に形成された広告特定情報を検出する。そして、ネットワーク通信部２３は、ネットワーク４０を介し、検出した広告特定情報をストレージ５０へ送信する。ストレージ５０は、ネットワーク通信部２３から受信した広告特定情報に基づいてアクセス情報データベースを検索し、受信した広告特定情報に対応する広告を特定する。そして、ストレージ５０は、特定した広告に対応するアクセス情報を読み出し、読み出したアクセス情報をネットワーク通信部２３へ送信する。ネットワーク通信部２３は、ストレージ５０から受信したアクセス情報に基づいて、ネットワーク４０を介して情報提供サイト３０へアクセスし、情報提供サイト３０から広告関連情報を受信する。そして、端末表示部２５は、受信した広告関連情報を表示する。
【００８９】
この構成によれば、検出した広告特定情報に基づいて広告を特定するので、広告印刷物１０に表示された広告をより正確に特定することが可能となる。これにより、より適切に広告関連情報を提供することが可能となる。
【００９０】
また、本実施の形態によれば、広告特定情報は、紫外線の透過率を低減させる材料（第１の材料）を有するインク（ＵＶインク）により印刷されている。また、撮像部は、紫外線の透過率を増大させた第１のフィルタを介して広告を撮像し、撮像した広告の紫外線域における撮像画像を生成する。そして、画像処理部２２は、生成された広告の紫外線域における撮像画像から広告印刷物１０に形成された広告特定情報を検出する。
【００９１】
この構成によれば、広告特定情報が形成された領域と、それ以外の領域と、における紫外線の透過率に差が生じるので、それぞれの領域における紫外線域の明るさ（明度）の差、すなわち紫外線量に基づいて広告特定情報を検出することが可能となる。
【００９２】
また、本実施の形態によれば、広告印刷物１０に形成された広告特定情報がアクセス情報で構成されており、画像処理部２２は、撮像部２１で生成された撮像画像に基づいてアクセス情報を検出する。そして、ネットワーク通信部２３は、画像処理部２２で検出されたアクセス情報に基づいて、ネットワーク４０を介して情報提供サイト３０へアクセスし、情報提供サイト３０から広告関連情報を受信する。
【００９３】
この構成によれば、ストレージ５０からアクセス情報を受信することなく情報提供サイト３０へアクセスすることができるので、これにより、情報提供サイト３０へのアクセスがさらに容易となり、広告関連情報をより短時間で提供することが可能となる。
【００９４】
（実施の形態３）
次に、本考案の実施の形態３について説明する。本実施の形態においても、広告印刷物１０に広告特定情報が形成された場合について説明する。なお、以下では、前述の実施の形態と重複する箇所については、原則としてその説明を省略する。
【００９５】
本実施の形態に係る広告印刷物１０も、図４と同様の構成を備えている。ただし、本実施の形態では、広告特定情報形成層１３の印刷等には、例えば、紫外線を吸収し蛍光を発する蛍光増白剤等の材料（第２の材料）を有するインク（以下では「蛍光増白インク」とも称する）が用いられる。
【００９６】
なお、本実施の形態においても、広告特定情報は透明なインクで形成されていることが好ましい。この場合、蛍光域を除く可視光域における広告特定情報印刷領域とそれ以外の領域との明るさ（明度）の差は、肉眼ではほとんど認識することができない。また、広告特定情報印刷領域における蛍光増白剤等の材料が発する蛍光はわずかであり、広告特定情報印刷領域とそれ以外の領域との蛍光域における明度の差は、肉眼ではほとんど認識することができない。したがって、蛍光増白インクにより広告特定情報が形成されても、広告の視認性は保持される。
【００９７】
本実施の形態では、情報処理端末２０の撮像部２１は、例えば、蛍光の透過率を増大させ、それ以外の波長域の透過率を低減させたフィルタ（第２のフィルタ）を介して広告を撮像し、広告の蛍光域における撮像画像を生成する。
【００９８】
画像処理部２２は、撮像部２１で生成された広告の蛍光域における撮像画像から広告特定情報を検出する。このように検出した広告特定情報に基づいて広告関連情報を取得する方法については、前述の実施の形態と同様であるので、ここではその説明を省略する。
【００９９】
本実施の形態によれば、前述の実施の形態による効果に加え以下の効果が得られる。本実施の形態によれば、広告特定情報（すなわち広告特定情報形成層１３）は、紫外線を吸収し蛍光を発する材料を有するインクにより印刷される。そして、撮像部２１は、蛍光の透過率を増大させたフィルタを介して広告を撮像し、撮像した広告の蛍光域における撮像画像を生成する。そして、画像処理部２２は、生成された広告の蛍光域における撮像画像から広告特定情報を検出する。
【０１００】
この構成によれば、広告特定情報が形成された領域と、それ以外の領域と、における蛍光の光量に差が生じるので、それぞれの領域における蛍光域の明るさ（明度）の差に基づいて広告特定情報を検出することが可能となる。
【０１０１】
（実施の形態４）
次に、本考案の実施の形態４について説明する。本実施の形態では、肉眼では認識することができない広告特定情報が広告に埋め込まれた場合について説明する。なお、このような広告に埋め込まれた広告特定情報は、デジタルコード等と呼ばれている。なお、以下では、前述の実施の形態と重複する箇所については、原則としてその説明を省略する。
【０１０２】
本実施の形態に係る広告印刷物１０は、図２と同様の構成を備えている。ただし、広告形成層１２は、広告に肉眼では認識することができない広告特定情報が埋め込まれた構成となっている。広告特定情報は、例えば電子透かし等の手法により広告と同時に印刷される。
【０１０３】
画像処理部２２は、撮像部２１で生成された撮像画像から広告に埋め込まれた広告特定情報を検出する。画像処理部２２は、例えば、広告に埋め込まれた広告特定情報を検出する広告特定情報検出アプリケーションを用いた画像処理を行うことにより広告特定情報を検出する。なお、広告特定情報検出アプリケーションは、前述した広告関連情報取得アプリケーションに組み込まれていてもよい。このように検出した広告特定情報に基づいて広告関連情報を取得する方法については、前述の実施の形態と同様であるので、ここではその説明を省略する。
【０１０４】
［広告特定情報が分離して埋め込まれた場合］
ここで、本実施の形態に係る変形例として、広告に広告特定情報が分離して埋め込まれた場合について説明する。したがって、広告特定情報は、複数の部分広告特定情報で構成され、これらの部分広告特定情報が互いに分離して広告に埋め込まれている。
【０１０５】
図６は、本考案の実施の形態４に係る広告印刷物の構成の一例を示す平面図である。図６では、広告印刷物１０に広告特定情報を構成する複数の部分広告特定情報が示されている。なお、広告特定情報は肉眼で認識できないが、図６では、互いの部分広告特定情報の位置関係を明確にするため、それぞれの部分広告特定情報が明示されている。なお、図６では、それぞれの部分広告特定情報が、例えば、「ＡＡＡ」、「ＢＢＢ」、…、「ＥＥＥ」として便宜的に示されている。
【０１０６】
画像処理部２２は、撮像画像から埋め込まれた複数の部分広告特定情報を抽出し、抽出した複数の部分広告特定情報に基づいて広告特定情報を検出する。このように検出した広告特定情報に基づいて広告関連情報を取得する方法については、前述の実施の形態と同様であるので、ここではその説明を省略する。
【０１０７】
また、広告特定情報が、例えば、２次元コード（例えばＱＲコード（登録商標））等で構成されたアクセス情報である場合、それぞれの部分広告特定情報は、例えば、ファインダパターン、アライメントパターン、タイミングパターン、フォーマット情報等の各種情報を有する。また、これら以外にも、クワイエットゾーンやビット配列の空白空間（例えば、白黒表示されたＱＲコード（登録商標）の白部分の領域）の演算等に用いられる情報を有する部分広告特定情報も存在する。
【０１０８】
画像処理部２２は、例えば、抽出した部分広告特定情報に基づいて、ファインダパターン、アライメントパターン、タイミングパターン、フォーマット情報等の各種情報を検出する。また、画像処理部２２は、抽出した部分広告特定情報に基づいて、クワイエットゾーンやビット配列の空白空間の演算等を行う。そして、画像処理部２２は、これらの部分広告特定情報に基づいた各種情報や演算結果に基づいて、アクセス情報としての２次元コードを作成し、広告特定情報を検出する。
【０１０９】
また、画像処理部２２は、検査工程を行いつつ２次元コードを作成してもよい。例えば、画像処理部２２は、部分広告特定情報から検出した各種情報や演算結果が、所望のものであるかどうかを判定する。画像処理部２２は、例えば、ファインダパターン等として検出した情報が別の情報を示しているかどうか、ビット配列の空白空間の演算結果が別の情報を示しているかどうか等の判定を適宜実行しながら、２次元コードを生成する。なお、これらの処理は、例えば、端末制御部２４で行われてもよい。
【０１１０】
そして、画像処理部２２は、検出した広告特定情報（作成した２次元コード）のビット配列をデコードすることにより、情報提供サイト３０へのアクセス用データを生成する。なお、２次元コードに基づいて広告関連情報を取得する方法については、前述の実施の形態と同様であるので、ここではその説明を省略する。
【０１１１】
本実施の形態によれば、前述の実施の形態による効果に加え以下の効果が得られる。本実施の形態によれば、画像処理部２２は、撮像部２１で生成された撮像画像から、広告に埋め込まれた広告特定情報を検出する。この構成によれば、肉眼で認識できない広告特定情報が広告に埋め込まれているので、広告の視認性が保持される。また、広告及び広告特定情報が同時に印刷されるので、例えば図４に示す広告特定情報形成層１３を設けなくてもよい。これにより、広告特定情報の形成に関する工程を省略することができる。
【０１１２】
また、本実施の形態によれば、広告には、複数の部分広告特定情報が互いに離れて埋め込まれている。そして、画像処理部２２は、撮像画像から複数の部分広告特定情報を抽出し、抽出した複数の部分広告特定情報に基づいて広告特定情報を検出する。この構成によれば、広告特定情報を複数の部分広告特定情報に分割することができるので、それぞれの機能に対応する部分広告特定情報を生成し、これらを組み合わせることにより広告特定情報を構成することが可能となる。
【０１１３】
なお、本考案は前述した実施の形態に限定されるものではなく、様々な変形例が含まれる。また、例えば、上記した実施の形態は本考案を分かりやすく説明するために詳細に説明したものであり、必ずしも説明した全ての構成を備えるものに限定されるものではない。また、各部の大きさは、図面等の記載に限定されるものではなく、適宜変更可能である。
【符号の説明】
【０１１４】
１…情報提供装置、１０…広告印刷物、１１…基板、１１ａ…主面、１２…広告形成層、１３…広告特定情報形成層、２０…情報処理端末、２１…撮像部、２２…画像処理部、２３…ネットワーク通信部、２４…端末制御部、２５…端末表示部、２６…データ格納部、３０…情報提供サイト、４０…ネットワーク、５０…ストレージ
【図１】
0003210604.tif 000003
【図２】
0003210604.tif 000004
【図３】
0003210604.tif 000005
【図４】
0003210604.tif 000006
【図５】
0003210604.tif 000007
【図６】
0003210604.tif 000008